(57)【特許請求の範囲】
【請求項１】
測定手段、前記測定手段からの測定信号を測定データとして処理する回路基板、前記回路基板から測定データを出力する出力電極および前記出力電極に連通し外表面に開口したコネクタ接続穴を有する測定器本体と、一端に前記コネクタ接続穴に係脱可能なコネクタを有し、前記測定器本体で得られた測定データを外部装置へ伝送する接続ケーブルとを備える出力付き測定器であって、
前記コネクタには、前記コネクタ接続穴に対して抜き差し可能で、かつ、表面にコネクタ端子を露出させた突起部が設けられ、
前記測定器本体の前記コネクタ接続穴の空間には少なくとも外表面に前記コネクタ端子と前記出力電極とを電気的に接続する導電部を有する弾性接続部材が収納され、
前記弾性接続部材は、前記コネクタ接続穴から前記突起部が抜かれた状態ではコネクタ接続穴を閉塞し、かつ、前記コネクタ接続穴に前記突起部が差し込まれた状態では、前記導電部を介して前記コネクタ端子と前記出力電極とを導通させ、
前記コネクタ接続穴は、前記回路基板に対して垂直に設けられた垂直路と、前記垂直路の先端から屈曲し前記測定器本体の外表面に開口した開口路とを有し、
前記弾性接続部材は、前記垂直路内に設けられ、前記コネクタ接続穴から前記突起部が抜かれた状態では前記開口路を閉塞し、前記コネクタ接続穴に前記突起部が差し込まれた状態では、弾性変形した状態で前記コネクタ端子と前記出力電極とを導通させる
ことを特徴とする出力付き測定器。
【請求項２】
請求項１に記載の出力付き測定器において、
前記測定器本体の外表面には、前記開口路の周囲に沿って弾性シール部材が設けられ、
前記弾性シール部材は、前記開口路に前記コネクタの前記突起部が差し込まれたとき、圧縮された状態で前記測定器本体とコネクタとの間をシールする
ことを特徴とする出力付き測定器。
【請求項３】
請求項１または請求項２に記載の出力付き測定器において、
前記弾性接続部材には、前記開口路に対向した面および前記出力電極に対向した面を繋ぐ導電部が、間に非導電部を挟んで複数設けられる
ことを特徴とする出力付き測定器。
【請求項４】
一方の測定ジョーを長手の一端に有する本尺と、前記本尺の長手方向へ移動可能に設けられ、前記一方の測定ジョーとともに被測定物に当接される他方の測定ジョーを有するスライダとを含み、前記スライダの内部には、前記スライダの移動変位量を測定データとして信号処理する回路基板、前記回路基板に設けられた出力電極および前記出力電極に連通し、外表面に開口したコネクタ接続穴がそれぞれ設けられたノギスと、
一端に前記コネクタ接続穴に係脱可能なコネクタを有し、前記ノギスで得られたデータを外部装置へ伝送する接続ケーブルと、を備える出力付き測定器であって、
前記コネクタには、前記コネクタ接続穴に対して抜き差し可能で、かつ、表面にコネクタ端子を露出させた突起部が設けられ、
前記ノギスの前記コネクタ接続穴の空間には少なくとも外表面に前記コネクタ端子と前記出力電極とを電気的に接続する導電部を有する弾性接続部材が収納され、
前記弾性接続部材は、前記コネクタ接続穴から前記突起部が抜かれた状態ではコネクタ接続穴を閉塞し、かつ、前記コネクタ接続穴に前記突起部が差し込まれた状態では、前記導電部を介して前記コネクタ端子と前記出力電極とを導通させ、
前記コネクタ接続穴は、前記回路基板に対して垂直に設けられた垂直路と、前記垂直路の先端から屈曲し前記測定器本体の外表面に開口した開口路とを有し、
前記弾性接続部材は、前記垂直路内に設けられ、前記コネクタ接続穴から前記突起部が抜かれた状態では前記開口路を閉塞し、前記コネクタ接続穴に前記突起部が差し込まれた状態では、弾性変形した状態で前記コネクタ端子と前記出力電極とを導通させる
ことを特徴とする出力付き測定器。
【請求項５】
一方の測定ジョーを長手の一端に有する本尺と、前記本尺の長手方向へ移動可能に設けられ、前記一方の測定ジョーとともに被測定物に当接される他方の測定ジョーを有するスライダとを含み、前記スライダの内部には、前記スライダの移動変位量を測定データとして信号処理する回路基板、前記回路基板に設けられた出力電極および前記出力電極に連通して外表面に開口し、コネクタ端子が差し込まれるコネクタ接続穴がそれぞれ設けられた出力付き測定器において、
前記コネクタ接続穴内の空間には、前記コネクタ接続穴に差し込まれる前記コネクタ端子と前記出力電極とを電気的に接続する導電部を有する弾性接続部材が収納され、
前記弾性接続部材は、通常は、前記コネクタ接続穴を閉塞し、かつ、前記コネクタ接続穴に前記コネクタ端子が差し込まれた状態では、前記コネクタ端子と前記出力電極とを前記導電部を介して導通させ、
前記コネクタ接続穴は、前記回路基板に対して垂直に設けられた垂直路と、前記垂直路の先端から屈曲し前記測定器本体の外表面に開口した開口路とを有し、
前記弾性接続部材は、前記垂直路内に設けられ、前記コネクタ接続穴から前記突起部が抜かれた状態では前記開口路を閉塞し、前記コネクタ接続穴に前記突起部が差し込まれた状態では、弾性変形した状態で前記コネクタ端子と前記出力電極とを導通させる
ことを特徴とする出力付き測定器。
【発明の詳細な説明】
【０００１】
【発明の属する技術分野】
本発明は出力付き測定器に関する。詳しくは、測定器によって測定した測定データを外部に出力できるようにした出力付き測定器に関する。
【０００２】
【背景技術】
測定者が手で持って測定を行う測定器、たとえばノギスは、本尺と、この本尺の長手方向へ移動可能に設けられたスライダと、このスライダの移動変位量を電気信号として検出する変位検出手段と、この変位検出手段で検出されたスライダの移動変位量をデジタル表示するデジタル表示器とを備えた構成である。
また、この種のノギスのなかには、変位検出手段で検出されたスライダの移動変位量、つまり、測定信号を外部へ出力できるようにした出力付きノギスも知られている。
【０００３】
従来、出力付きノギスを構成するにあたっては、スライダの一部に変位検出手段に接続され、かつ、電極を露出させたコネクタを形成し、一方、データ処理装置などの外部装置と接続された接続ケーブルの先端に前記コネクタに嵌合され前記電極に接続される電極を露出させたコネクタを取り付けている。
使用にあたっては、スライダに形成されたコネクタに、接続ケーブルの先端に設けられたコネクタを嵌合させると、両コネクタに設けられた電極同士が互いに接続された状態になるので、この状態において、ノギスによって得られた測定信号が接続ケーブルを介してデータ処理装置などの外部装置に伝送される。つまり、測定信号が外部装置に送信され、そこで処理される。
【０００４】
【発明が解決しようとする課題】
しかし、従来の出力付き測定器では、次のような課題があった。
(１)コネクタにおいて、電極が露出しているため、水、油、粉塵などが浸入する環境下において、出力付きノギスを使用すると、これらの水、油、粉塵などがコネクタ部の電極に浸入するため、使用が極めて困難であった。
(２)あえて、使用する場合でも、ゴムパッキンなどで嵌合部分を覆って異物の浸入を防ぐ必要があったため、構造が複雑化する。
【０００５】
本発明の目的は、このような従来の課題を解消し、複雑な構造にしなくても、過酷な悪環境下でも使用可能な出力付き測定器を提供することにある。
【０００６】
【課題を解決するための手段】
本発明の出力付き測定器は、測定手段、前記測定手段からの測定信号を測定データとして処理する回路基板、前記回路基板から測定データを出力する出力電極および前記出力電極に連通し外表面に開口したコネクタ接続穴を有する測定器本体と、一端に前記コネクタ接続穴に係脱可能なコネクタを有し、前記測定器本体で得られた測定データを外部装置へ伝送する接続ケーブルとを備える出力付き測定器であって、前記コネクタには、前記コネクタ接続穴に対して抜き差し可能で、かつ、表面にコネクタ端子を露出させた突起部が設けられ、前記測定器本体の前記コネクタ接続穴の空間には少なくとも外表面に前記コネクタ端子と前記出力電極とを電気的に接続する導電部を有する弾性接続部材が収納され、前記弾性接続部材は、前記コネクタ接続穴から前記突起部が抜かれた状態ではコネクタ接続穴を閉塞し、かつ、前記コネクタ接続穴に前記突起部が差し込まれた状態では、前記導電部を介して前記コネクタ端子と前記出力電極とを導通させ、前記コネクタ接続穴は、前記回路基板に対して垂直に設けられた垂直路と、前記垂直路の先端から屈曲し前記測定器本体の外表面に開口した開口路とを有し、前記弾性接続部材は、前記垂直路内に設けられ、前記コネクタ接続穴から前記突起部が抜かれた状態では前記開口路を閉塞し、前記コネクタ接続穴に前記突起部が差し込まれた状態では、弾性変形した状態で前記コネクタ端子と前記出力電極とを導通させることを特徴とする。
【０００７】
このような構成によれば、まず、測定器本体の測定手段によって測定された測定信号は、回路基板によって測定データとして処理され、出力電極に送られる。
コネクタ接続穴に突起部が差し込まれた状態のときは、コネクタ端子が弾性接続部材の表面に接触し、弾性接続部材の外表面に設けられた導電部によって、出力電極とコネクタ端子が導通されているから、測定器本体で得られた測定データを接続ケーブルを介して外部装置に伝送することができる。
コネクタ接続穴からコネクタの突起部が抜かれた状態のときは、弾性接続部材によって、コネクタ接続穴は閉塞されている。つまり、外部と出力電極は遮断されている。よって、外部からコネクタ接続穴を通って浸入した水や粉塵などが出力電極、さらには回路基板へ浸入することを防ぐことができ、その結果、測定データの伝送が不能となることを防止できるので、過酷な悪環境下でも使用することができる。
また、コネクタ端子と出力電極は弾性接続部材を介して接するので、弾性接続部材の弾性接触圧によって確実な接続を確保でき、しかも、コネクタ端子と出力電極が直接接触する場合に比べて、コネクタの抜き差しが繰り返されても、コネクタ端子および出力電極は損傷しにくいものにできる。
また、出力電極から外部に連通したコネクタ接続穴が直線状に設けられると、突起部がコネクタ接続穴に挿入されたとき、出力電極が突起部からの応力線上にあたる構成となる。その結果、突起部がコネクタ接続穴に挿入されたときには、突起部が弾性接続部材に与える応力と等しい応力が出力電極にかかることになり、出力電極にかかる負荷が大きい。
これに対して、コネクタ接続穴が垂直路から開口路への境目で屈曲し、垂直路内で開口路を閉塞するように弾性接続部材が設けられているので、突起部が弾性接続部材にかける応力が直接出力電極にかかることはない。よって、出力電極にかかる負荷を小さくできる。
また、弾性体は、応力方向に対して交差する方向に弾性変形して膨張する性質がある。つまり、開口路から突起部が差し込まれると、垂直路に沿って弾性接続部材は弾性変形して膨張されるので、この弾性変形によって、弾性接続部材が出力電極に適切な圧力で接触することができる。
【００１０】
本発明では、前記測定器本体の外表面には、前記開口路の周囲に沿って弾性シール部材が設けられ、前記弾性シール部材は、前記開口路に前記コネクタの前記突起部が差し込まれたとき、圧縮された状態で前記測定器本体とコネクタとの間をシールすることが好ましい。
【００１１】
コネクタ接続穴にコネクタの突起部が差し込まれたとき、弾性接続部材が弾性変形されてしまうため、コネクタ接続穴は弾性接続部材によって閉塞されていない状態となる。
しかしながら、弾性シール部材が開口路の周囲に沿って設けられているので、コネクタが差し込まれたときは、この弾性シール部材とコネクタとの密着によってコネクタ接続穴は外部と遮断される。よってコネクタ接続穴から水、油、粉塵が測定器本体内部に浸入するのを防止することができるので、過酷な悪環境下でも使用することができる。
【００１２】
本発明では、前記弾性接続部材には、前記開口路に対向した面および前記出力電極に対向した面を繋ぐ導電部が、間に非導電部を挟んで複数設けられることが好ましい。
【００１３】
このような構成によれば、コネクタ端子および出力電極に弾性接続部材が開口路に面した面および垂直路に面した面から接触すると、弾性接続部材の導電部によって出力電極とコネクタ端子が導通される。
このとき、弾性接続部材は、非導電部を挟んで導電部が複数設けられているので、出力電極からコネクタ端子に複数のデータを同時並行的に伝送することができる。
【００１４】
本発明の出力付き測定器は、一方の測定ジョーを長手の一端に有する本尺と、前記本尺の長手方向へ移動可能に設けられ、前記一方の測定ジョーとともに被測定物に当接される他方の測定ジョーを有するスライダとを含み、前記スライダの内部には、前記スライダの移動変位量を測定データとして信号処理する回路基板、前記回路基板に設けられた出力電極および前記出力電極に連通し、外表面に開口したコネクタ接続穴がそれぞれ設けられたノギスと、一端に前記コネクタ接続穴に係脱可能なコネクタを有し前記ノギスで得られたデータを外部装置へ伝送する接続ケーブルと、を備える出力付き測定器であって、前記コネクタには、前記コネクタ接続穴に対して抜き差し可能で、かつ、表面にコネクタ端子を露出させた突起部が設けられ、前記ノギスの前記コネクタ接続穴の空間には少なくとも外表面に前記コネクタ端子と前記出力電極とを電気的に接続する導電部を有する弾性接続部材が収納され、前記弾性接続部材は、前記コネクタ接続穴から前記突起部が抜かれた状態ではコネクタ接続穴を閉塞し、かつ、前記コネクタ接続穴に前記突起部が差し込まれた状態では、前記導電部を介して前記コネクタ端子と前記出力電極とを導通させ、前記コネクタ接続穴は、前記回路基板に対して垂直に設けられた垂直路と、前記垂直路の先端から屈曲し前記測定器本体の外表面に開口した開口路とを有し、前記弾性接続部材は、前記垂直路内に設けられ、前記コネクタ接続穴から前記突起部が抜かれた状態では前記開口路を閉塞し、前記コネクタ接続穴に前記突起部が差し込まれた状態では、弾性変形した状態で前記コネクタ端子と前記出力電極とを導通させることを特徴とする。
【００１５】
このような構成によれば、ノギスの本尺とスライダに設けられた測定ジョーを被測定物の被測定部位に当接させるようにスライダを移動させると、スライダの移動変位量は回路基板によって測定データとして信号処理され、出力電極に送られる。
コネクタ接続穴に突起部が差し込まれると、弾性接続部材の導電部を介して、コネクタ端子と出力電極は電気的に接続されるので、測定データを出力電極からコネクタ端子に伝送することができる。
コネクタ接続穴に突起部が差し込まれない状態では、コネクタ接続穴は弾性接続部材によって閉塞され、外部と出力電極は遮断されるので、コネクタ接続穴から水、油、粉塵などが浸入して出力電極、さらには回路基板へ浸入するのを防ぐことができ、その結果、測定データの伝送が不能となるのを防止することができるので、過酷な悪環境下においても使用することができる。
また、コネクタ端子と出力電極は弾性接続部材を介して接するので、弾性接続部材の弾性接触圧によって確実な接続を確保でき、しかも、コネクタ端子と出力電極が直接接触する場合に比べて、コネクタの抜き差しが繰り返されても、コネクタ端子および出力電極は損傷しにくいものにできる。
【００１６】
本発明の出力付き測定器は、一方の測定ジョーを長手の一端に有する本尺と、前記本尺の長手方向へ移動可能に設けられ、前記一方の測定ジョーとともに被測定物に当接される他方の測定ジョーを有するスライダとを含み、前記スライダの内部には、前記スライダの移動変位量を測定データとして信号処理する回路基板、前記回路基板に設けられた出力電極および前記出力電極に連通して外表面に開口し、コネクタ端子が差し込まれるコネクタ接続穴がそれぞれ設けられた出力付き測定器において、前記コネクタ接続穴内の空間には、前記コネクタ端子と前記出力電極とを電気的に接続する導電部を有する弾性接続部材が収納され、前記弾性接続部材は、通常は、前記コネクタ接続穴を閉塞し、かつ、前記コネクタ接続穴に前記コネクタ端子が差し込まれた状態では、前記コネクタ端子と前記出力電極とを前記導電部を介して導通させ、前記コネクタ接続穴は、前記回路基板に対して垂直に設けられた垂直路と、前記垂直路の先端から屈曲し前記測定器本体の外表面に開口した開口路とを有し、前記弾性接続部材は、前記垂直路内に設けられ、前記コネクタ接続穴から前記突起部が抜かれた状態では前記開口路を閉塞し、前記コネクタ接続穴に前記突起部が差し込まれた状態では、弾性変形した状態で前記コネクタ端子と前記出力電極とを導通させることを特徴とする。
【００１７】
このような構成によれば、測定器本体の本尺とスライダに設けられた測定ジョーを被測定物の被測定部位に当接させるようにスライダを移動させると、スライダの移動変位量が回路基板によって測定データとして信号処理され、この測定データは出力電極に送られる。
コネクタ端子がコネクタ接続穴に差し込まれない通常の状態では、コネクタ接続穴は弾性接続部材によって閉塞され、外部と出力電極は遮断されるので、コネクタ接続穴から水、油、粉塵などが浸入して出力電極に付着することを防ぐことができる。よって、水、油、粉塵などが多量に存在する過酷な悪環境下においても、出力付き測定器を単体で使用することができる。
コネクタ接続穴にコネクタ端子が差し込まれると、弾性接続部材の導電部を介して、コネクタ端子と出力電極は電気的に接続される。よって、コネクタ端子を備えた接続ケーブルを別途用意すれば、外部装置へ測定データを伝送することができる。
【００１８】
【発明の実施の形態】
以下、本発明の一実施形態を図面を参照して説明する。
図３は本実施形態の出力付き測定器の正面図である。
同図に示すように、本実施形態の出力付き測定器は、測定によって得られた測定データを出力可能な測定器本体としてのノギス１と、このノギス１から外部装置へ測定データを伝送するための接続ケーブル３０とを備えている。
【００１９】
ノギス１は、長手部を有する本尺２と、この本尺２の長手方向にスライド可能となるように本尺２に設けられたスライダ６とを備える。
本尺２は、長手部の基端側上下縁に設けられた内側用測定ジョー３および外側用測定ジョー４と、長手部の内部に長手方向に沿って設けられたスケール５とを備える。ここで、内側用測定ジョー３と外側用測定ジョー４は、それぞれ本尺２に対して一体形成されている。
【００２０】
スライダ６の外表面には、基端側上下縁に設けられた内側用測定ジョー７および外側用測定ジョー８と、正面に設けられたデジタル表示部９とを備える。さらに、スライダ６の位置を固定するためのクランプねじ１０が螺合されるとともに、本尺２の長手部に当接し、回転によってスライダ６を移動させる送りローラ１１が設けられている。
ここで、内側用測定ジョー３と外側用測定ジョー４はスライダ６に対して一体形成されている。
【００２１】
スライダ６の内部には、図１に示されるように、スライダ６の移動変位量をスケール５から検出するための検出ヘッド（図示せず）と、検出ヘッドからの測定信号を測定データとして処理する回路基板１４と、回路基板１４上に設けられた出力電極１５と、この出力電極１５から外表面に連通したコネクタ接続穴１７と、コネクタ接続穴１７の内部に設けられた弾性接続部材としてのインターコネクタ２０とを備える。
ここに、本尺２の測定ジョー３，４、スケール５、スライダ６の測定ジョー７，８および検出ヘッドによって測定器としての測定手段が構成されている。
【００２２】
回路基板１４は、検出ヘッドからの測定信号を測定データとして処理するための信号処理回路を含んでいて、処理された測定データは、外部へ出力されるために出力電極１５に送られ、また、デジタル表示のためにデジタル表示部９に送られる。
【００２３】
コネクタ接続穴１７は、出力電極１５に対して垂直に設けられた垂直路１８と、この垂直路１８の先端から直角に曲がり、外部に通じる開口路１９とからなる。そして、図４に示されるように、この垂直路１８と開口路１９との境目に、開口路１９を閉塞するようにインターコネクタ２０が設けられている。
インターコネクタ２０は、図５に示されるように、断面略四角形の外周のうち三側面は平面で形成され、残り一側面が凸曲面で形成された柱状体であって、シリコンゴムによって形成されている。さらに、インターコネクタ２０は、カーボンを含んで形成され、導電性を備える導電部２１と、シリコンゴムだけで形成された非導電部２２が交互に積層されている。
インターコネクタ２０は、コネクタ接続穴１７の垂直路１８内において、凸曲面が回路基板１４を向くように配置されている。
【００２４】
スライダ６の内壁と回路基板１４との間には緩衝ゴム１６が設けられている。また、スライダ６の外表面においては、コネクタ接続穴１７の開口部の周縁を囲むように、弾性ゴムによって形成されたリング状の弾性シール部材１２が嵌め込まれている。
さらに、スライダ６のコネクタ接続穴１７の開口部と同側面において、係合穴１３が穿設されている。
【００２５】
接続ケーブル３０は、ノギス１および外部装置とを結ぶケーブル３１と、このケーブル３１の一端に設けられたコネクタ３２とを備える。
このコネクタ３２において、コネクタ３２とスライダ６が接触する側の一端面には、コネクタ接続穴１７に対して抜き差し可能でかつ表面にコネクタ端子３４を露出させた突起部３３と、スライダ６の係合穴１３に嵌合する係合片３５とが設けられ、さらに、他端面には、データ送信スイッチ３６が設けられている。
また、コネクタをスライダ６に対して固定するための止めねじ３７が設けられている。
ここで、突起部３３の長さは、コネクタ接続穴１７の開口路１９を突き抜けて、インターコネクタ２０に圧接する程度の長さに形成され、また、インターコネクタ２０の凸曲面とその対抗面との間の長さは、垂直路１８と略同じか、もしくは、わずかに短めに形成されている。
【００２６】
このような構成からなる出力付き測定器において、使用する際には、まず、本尺２の測定ジョー３，４とともにスライダ６の測定ジョー７，８が被測定物の被測定部位に当接するように送りローラ１１によってスライダ６を移動させる。
このとき、本尺２の長手部に設けられたスケール５とスライダ６の検出ヘッドによってスライダ６の移動変位量が検出され、この検出された測定信号が回路基板１４によって測定データとして処理された後、スライダ６正面のデジタル表示部に表示される。
また、接続ケーブル３０の突起部３３をコネクタ接続穴１７に差し込み、係合片３５を係合穴１３に差し込み、止めねじ３７でコネクタ３２をスライダ６に固定すると、図２に示されるように、コネクタ端子３４がインターコネクタ２０に接触される。つまり、インターコネクタ２０を介して出力電極１５とコネクタ端子３４が接触される。この状態で、接続ケーブル３０の他端を外部装置に接続し、データ送信スイッチ３６を押すと測定データが外部装置に伝送される。
【００２７】
このような構成からなる本実施形態の出力付き測定器によれば以下の効果がある。
コネクタ接続穴１７は、出力電極１５から垂直に設けられた垂直路１８と、垂直路１８の先端から直角に設けられた開口路１９とからなり、この垂直路１８内に開口路１９を閉塞するようにインターコネクタ２０が設けられている。よって、図１に示されるように、コネクタ３２の突起部３３がコネクタ接続穴１７から抜かれた状態では、インターコネクタ２０がコネクタ接続穴１７を閉塞して、出力電極１５と外部を遮断するので、水、油、粉塵などがコネクタ接続穴１７から浸入して出力電極１５、さらには回路基板１４に浸入することを防ぐことができる。その結果、水、油、粉塵などによる内部回路の損傷を防止でき、データの伝送が不能となることを防ぐことができるので、過酷な悪環境下においても出力付き測定器を使用することができる。
【００２８】
また、コネクタ接続穴１７の開口部から突起部３３が挿入されると、図２に示されるように、コネクタ端子３４がインターコネクタ２０に接触し、さらに、突起部３３の圧接によって、インターコネクタ２０が垂直路１８内で出力電極１５の方向に伸びるように弾性変形し、インターコネクタ２０が出力電極１５に適切な圧力で接触することができる。その結果、出力電極１５からコネクタ端子３４にインターコネクタ２０を介して測定データを伝送することができる。
【００２９】
インターコネクタ２０には、非導電部２２を挟んで導電部２１が複数設けられているので、複数のデータを同時並行的に出力電極１５からコネクタ端子３４に伝送することができる。
【００３０】
ここで、突起部３３がコネクタ接続穴１７に挿入されると、インターコネクタ２０が弾性変形されるので、インターコネクタ２０によってコネクタ接続穴１７が閉塞されていない状態となる。しかしながら、開口部の周縁に弾性シール部材１２が設けられているので、コネクタ３２がスライダ６に接続されたときは、この弾性シール部材１２とコネクタ３２の一端面によってコネクタ接続穴１７と外界が遮断される。よって、スライダ６内部に水、油、粉塵が浸入してデータの伝送が不能となることを防ぐことができるので、過酷な悪環境下においても出力付き測定器を使用することができる。
また、弾性シール部材１２の弾性によって、コネクタ３２とスライダ６の接触圧を減じ、コネクタ３２とスライダ６が破損することを防ぐことができる。
【００３１】
コネクタ３２の一端面には係合片３５が設けられ、スライダ６の外表面には係合穴１３が設けられ、この両者が係合し、さらに止めねじ３７でコネクタ３２とスライダ６は固定される構成となっているので、コネクタ３２とスライダ６の接続は安定したものとなる。よって、コネクタ端子３４とインターコネクタ２０と出力電極１５の接触が安定するので、確実に測定データの伝送を行うことができる。
【００３２】
ノギス１にはデジタル表示部９が設けられているので、ノギス１単体で測定し、測定値を読み取ることができる。また、コネクタにはデータ送信スイッチ３６が設けられているので、測定値をデジタル表示部９で確認した後、必要に応じて測定データの送信を行うかどうかを判断することができる。
【００３３】
回路基板１４とスライダ６の内壁との間には緩衝ゴム１６が設けられているので、仮に、インターコネクタ２０によって回路基板１４が強く押されたときでも、回路基板１４はインターコネクタ２０からの押圧に対して柔軟に反対側へその位置を変えることができる。よって、出力電極１５に大きな負荷がかかって損傷することを防ぐことができる。
【００３４】
なお、本発明は上記実施形態で述べた構成に限られるものではなく、次のような変形例も含む。
上記実施形態では、測定器としてノギス１に本発明を適用しているが、測定器であればマイクロメータやダイヤルゲージなど種々の測定器に適用できる。
弾性接続部材としては、上記実施形態のようなインターコネクタ２０でなくても、導電部を有する弾性体であればよい。
コネクタ接続穴１７は、垂直路１８と開口路１９とが必ずしも直角でなくてもよい。もしくは、コネクタ接続穴１７が直線状に設けられたとしても、本発明によれば、防水、防塵を行うことは可能である。
【００３５】
【発明の効果】
以上、説明したように、本発明の出力付き測定器によれば、複雑な構造にしなくても過酷な悪環境下でも使用可能である、という優れた効果を奏し得る。
【図面の簡単な説明】
【図１】本発明の一実施形態において、コネクタの突起部がコネクタ接続穴から抜かれた状態の断面図である。
【図２】前記実施形態において、コネクタの突起部がコネクタ接続穴に差し込まれた状態の断面図である。
【図３】前記実施形態の正面図である。
【図４】前記実施形態の斜視図である。
【図５】前記実施形態の弾性接続部材の斜視図である。
【符号の説明】
１      ノギス(測定器本体）
２      本尺
３      本尺の内側用測定ジョー
４      本尺の外側用測定ジョー
６      スライダ
７      スライダの内側用測定ジョー
８      スライダの外側用測定ジョー
１２    弾性シール部材
１４    回路基板
１５    出力電極
１７    コネクタ接続穴
１８    垂直路
１９    開口路
２０    インターコネクタ（弾性接続部材）
２１    導電部
２２    非導電部
３０    接続ケーブル
３２    コネクタ
３３    突起部
３４    コネクタ端子
【図１】
0003831218.tif 000002
【図２】
0003831218.tif 000003
【図３】
0003831218.tif 000004
【図４】
0003831218.tif 000005
【図５】
0003831218.tif 000006